【手続補正書】
【提出日】平成18年4月12日(2006.4.12)
【手続補正１】
【補正対象書類名】明細書
【補正対象項目名】特許請求の範囲
【補正方法】変更
【補正の内容】
【特許請求の範囲】
【請求項１】  式（Ｉ）：
【化１】
2000026435.tif 000001
（式中、
Ｚ、Ｚ′及びＺ″は、互いに独立して、式（II）：
【化２】
2000026435.tif 000002
（式中、
Ｒ7は、式（III）、（IV）又は（Ｖ）：
【化３】
2000026435.tif 000003
（式中、
ｎは、１又は２であり；
Ｒ4、Ｒ5及びＲ6は、互いに独立して、Ｃ1−Ｃ18アルキル；Ｃ5−Ｃ12シクロアルキル；Ｃ2−Ｃ18アルケニル；フェニル；Ｃ7−Ｃ11フェニルアルキル；Ｃ7−Ｃ11アルキルフェニル；Ｃ1−Ｃ18アルキル（これは、フェニル、ＯＨ、ハロゲン、Ｃ1−Ｃ18アルコキシ、Ｃ5−Ｃ12シクロアルコキシ、Ｃ3−Ｃ18アルケニルオキシ、ＣＯＯＨ、ＣＯＯＲ11、Ｏ−ＣＯ−Ｒ12、ＣＯＮＨ2、ＣＯＮＨＲ13、ＣＯＮＲ13Ｒ14、ＣＮ、ＮＨ2、ＮＨＲ13、ＮＲ13Ｒ14、ＮＨＣＯＲ12、Ｃ6−Ｃ15ビシクロアルキル、Ｃ6−Ｃ15ビシクロアルコキシ、Ｃ6−Ｃ15ビシクロアルケニル、Ｃ6−Ｃ15ビシクロアルケニルオキシ、Ｃ6−Ｃ16ビシクロアルキル−アルコキシ、Ｃ6−Ｃ16ビシクロアルケニル−アルコキシ又はＣ6−Ｃ15トリシクロアルコキシにより置換されている）；Ｃ5−Ｃ12シクロアルキル（これは、ＯＨ、Ｃ1−Ｃ4アルキル、Ｃ2−Ｃ6アルケニル又はＯ−ＣＯＲ12により置換されている）；又はＣＯＲ15；ＣＯ−Ｘ−Ｒ8；又はＳＯ2−Ｒ16；又はＣ3−Ｃ50アルキル（これは、Ｏで中断されているか、かつ／又はＯＨ、フェノキシ、又はＣ7−Ｃ18アルキルフェノキシで置換されている）であるか；あるいは
Ｒ5とＲ6は、それらが結合する炭素原子と一緒になって、Ｃ4−Ｃ8シクロアルキル環（これは、中断されていないか、若しくはＯ、ＮＨ、ＮＲ13若しくはＳで中断されているか、かつ／又は置換されていないか、若しくはＣ1−Ｃ6アルキル、Ｃ1−Ｃ6アルコキシ、ＯＨ、フェノキシ若しくはＣ7−Ｃ18アルキルフェノキシで置換されている）であり；
Ｒ8は、Ｈ又はＲ11と同義であり；
Ｒ9は、Ｃ3−Ｃ18アルキル；Ｃ3−Ｃ18アルケニル；Ｃ5−Ｃ12シクロアルキル；Ｃ1−Ｃ4アルキルシクロヘキシル；Ｃ6−Ｃ14アリール；Ｃ7−Ｃ11フェニルアルキル；Ｃ7−Ｃ14アルキルフェニル；Ｃ6−Ｃ15ビシクロアルキル；Ｃ6−Ｃ15ビシクロアルケニル；Ｃ6−Ｃ16トリシクロアルキル；又はＣ1−Ｃ18アルキル（これは、ハロゲン、ＣＯＯＨ、ＣＯＯＲ11、Ｏ−ＣＯ−Ｒ12、ＣＯＮＨ2、ＣＯＮＨＲ13、ＣＯＮＲ13Ｒ14、ＣＮ、ＮＨ2、ＮＨＲ13、ＮＲ13Ｒ14、ＮＨＣＯＲ12、Ｃ6−Ｃ15ビシクロアルキル若しくはＣ6−Ｃ15ビシクロアルケニルで置換されている）であり；
Ｒ11は、Ｃ1−Ｃ18アルキル；Ｃ5−Ｃ12シクロアルキル；Ｃ6−Ｃ14アリール；Ｃ2−Ｃ18アルケニル；Ｃ7−Ｃ14アルキルフェニル；Ｃ1−Ｃ18アルキル（これは、フェニル、フェノキシ、ナフチル、ナフチルオキシ、ＯＨ、ハロゲン、Ｃ1−Ｃ18アルコキシ、Ｃ5−Ｃ12シクロアルコキシ、Ｃ3−Ｃ18アルケニルオキシ、ＣＯＯＨ、ＣＯＯＲ11、Ｏ−ＣＯ−Ｒ12、ＣＯＮＨ2、ＣＯＮＨＲ13、ＣＯＮＲ13Ｒ14、ＣＮ、ＮＨ2、ＮＨＲ13、ＮＲ13Ｒ14、ＮＨＣＯＲ12、Ｃ6−Ｃ15ビシクロアルキル、Ｃ6−Ｃ15ビシクロアルコキシ、Ｃ6−Ｃ15ビシクロアルケニル、Ｃ6−Ｃ15ビシクロアルケニルオキシ、Ｃ6−Ｃ16ビシクロアルキル−アルコキシ、Ｃ6−Ｃ16ビシクロアルケニル−アルコキシ又はＣ6−Ｃ15トリシクロアルコキシにより置換されている）、又はＣ1−Ｃ18アルキル（これは、それ自体、ハロゲン、ＯＨ、Ｃ1−Ｃ4アルキル、Ｃ1−Ｃ4アルコキシ、Ｃ1−Ｃ8アルキルアミノ、シクロヘキシルアミノ、Ｃ1−Ｃ8アルキルチオ若しくはシクロヘキシルチオにより置換されている、フェニル、フェニルオキシ、若しくはナフチルオキシで置換されている）であるか；あるいは
Ｒ11は、Ｃ5−Ｃ12シクロアルキル（これは、ＯＨ、Ｃ1−Ｃ4アルキル、Ｃ2−Ｃ6アルケニル又はＯ−ＣＯＲ12により置換されている）；又はＣＯＲ15；又はＳＯ2−Ｒ16；又は炭素−結合された、５〜７員複素環残基（これは、４〜１２個の炭素原子並びにＯ、Ｎ及びＳから選択される１〜３個の複素原子を含む）であるか；あるいは
Ｒ11は、Ｃ3−Ｃ50アルキル（これは、Ｏ、ＮＨ、ＮＲ13若しくはＳで中断されているか、かつ／又はＯＨ、フェノキシ、Ｃ3−Ｃ18アルケンオキシ、Ｃ7−Ｃ18アルキルフェノキシ、ＯＣＯＲ12、Ｏ−Ｐ（＝Ｏ）（ＯＲ12)2、Ｏ−Ｐ（＝Ｏ）（Ｒ12)2若しくはＯＳｉ（ＯＲ12)3で置換されている）であり；
Ｒ12は、Ｃ1−Ｃ18アルキル；Ｃ2−Ｃ18アルケニル；Ｃ5−Ｃ12シクロアルキル、Ｃ1−Ｃ4アルキルシクロヘキシル；Ｃ6−Ｃ14アリール；Ｃ7−Ｃ11フェニルアルキル；Ｃ7−Ｃ14アルキルフェニル；Ｃ6−Ｃ15ビシクロアルキル；Ｃ6−Ｃ15ビシクロアルケニル；Ｃ6−Ｃ15トリシクロアルキルであり；
Ｒ13及びＲ14は、互いに独立して、Ｃ1−Ｃ18アルキル；Ｃ2−Ｃ18アルケニル；Ｃ5−Ｃ12シクロアルキル；Ｃ1−Ｃ4アルキルシクロヘキシル；Ｃ6−Ｃ14アリール；Ｃ7−Ｃ11フェニルアルキル；Ｃ7−Ｃ14アルキルフェニル；又はＣ3−Ｃ30アルキル（これは、Ｏ、ＮＨ若しくはＮＲ13で中断されているか、かつ／又はＯＨで置換されている）であるか；又はＣ6−Ｃ15ビシクロアルキル；Ｃ6−Ｃ15ビシクロアルケニル；若しくはＣ6−Ｃ15トリシクロアルキルであり；
Ｒ15は、Ｃ1−Ｃ18アルキル；Ｃ2−Ｃ18アルケニル；Ｃ5−Ｃ12シクロアルキル；Ｃ6−Ｃ14アリール；Ｃ7−Ｃ11フェニルアルキル；又はＣ7−Ｃ14アルキルフェニルであり；
Ｒ16は、Ｃ1−Ｃ18アルキル；Ｃ2−Ｃ18アルケニル；Ｃ5−Ｃ12シクロアルキル；Ｃ6−Ｃ14アリール；Ｃ7−Ｃ11フェニルアルキル；又はＣ7−Ｃ14アルキルフェニルであり；
Ｒ17は、ＣＨ2−Ｏ−Ｒ15又はフルフリル若しくはテトラヒドロフルフリルであるか、あるいはＣ3−Ｃ30アルキル（これは、Ｏ、ＮＨ若しくはＮＲ13で中断されているか、かつ／又はＯＨで置換されている）であり；そして
Ｘ及びＹは、互いに独立して、Ｏ、ＮＨ、ＮＲ13又はＳである）で示される基である）で示される基である）で示される化合物であるが、但し
化合物２，４，６−トリス（２−ヒドロキシ−４−〔１−エトキシカルボニル−１−メチルエトキシ〕フェニル−１，３，５−トリアジンを除く化合物。
【請求項２】  Ａ）光、酸素及び／又は熱による損傷を受けやすい有機材料、及びＢ）安定剤として、請求項１記載の式（Ｉ）の少なくとも１種の化合物を含む組成物。
【請求項３】  成分Ａ）が、合成有機ポリマー若しくはプレポリマー又は写真材料であり、そして成分Ｂ）が、式（Ｉ）：
【化７】
2000026435.tif 000004
（式中、
Ｚ、Ｚ′及びＺ″は、互いに独立して、式（II）：
【化８】
2000026435.tif 000005
（式中、
Ｒ7は、式（III）、（IV）又は（Ｖ）：
【化９】
2000026435.tif 000006
（式中、
ｎは、１又は２であり；
Ｒ4、Ｒ5及びＲ6は、互いに独立して、Ｃ1−Ｃ18アルキル；Ｃ5−Ｃ12シクロアルキル；Ｃ2−Ｃ18アルケニル；フェニル；Ｃ7−Ｃ11フェニルアルキル；Ｃ7−Ｃ11アルキルフェニル；Ｃ1−Ｃ18アルキル（これは、フェニル、ＯＨ、ハロゲン、Ｃ1−Ｃ18アルコキシ、Ｃ5−Ｃ12シクロアルコキシ、Ｃ3−Ｃ18アルケニルオキシ、ＣＯＯＨ、ＣＯＯＲ11、Ｏ−ＣＯ−Ｒ12、ＣＯＮＨ2、ＣＯＮＨＲ13、ＣＯＮＲ13Ｒ14、ＣＮ、ＮＨ2、ＮＨＲ13、ＮＲ13Ｒ14、ＮＨＣＯＲ12、Ｃ6−Ｃ15ビシクロアルキル、Ｃ6−Ｃ15ビシクロアルコキシ、Ｃ6−Ｃ15ビシクロアルケニル、Ｃ6−Ｃ15ビシクロアルケニルオキシ、Ｃ6−Ｃ16ビシクロアルキル−アルコキシ、Ｃ6−Ｃ16ビシクロアルケニル−アルコキシ又はＣ6−Ｃ15トリシクロアルコキシにより置換されている）；Ｃ5−Ｃ12シクロアルキル（これは、ＯＨ、Ｃ1−Ｃ4アルキル、Ｃ2−Ｃ6アルケニル又はＯ−ＣＯＲ12により置換されている）；又はＣＯＲ15；ＣＯ−Ｘ−Ｒ8；又はＳＯ2−Ｒ16；又はＣ3−Ｃ50アルキル（これは、Ｏで中断されているか、かつ／又はＯＨ、フェノキシ、又はＣ7−Ｃ18アルキルフェノキシで置換されている）であるか；あるいは
Ｒ5とＲ6は、それらが結合する炭素原子と一緒になって、Ｃ4−Ｃ8シクロアルキル環（これは、中断されていないか、若しくはＯ、ＮＨ、ＮＲ13若しくはＳで中断されているか、かつ／又は置換されていないか、若しくはＣ1−Ｃ6アルキル、Ｃ1−Ｃ6アルコキシ、ＯＨ、フェノキシ若しくはＣ7−Ｃ18アルキルフェノキシで置換されている）であり；
Ｒ8は、Ｈ又はＲ11と同義であり；
Ｒ9は、Ｃ1−Ｃ18アルキル；Ｃ3−Ｃ18アルケニル；Ｃ5−Ｃ12シクロアルキル；Ｃ1−Ｃ4アルキルシクロヘキシル；Ｃ6−Ｃ14アリール；Ｃ7−Ｃ11フェニルアルキル；Ｃ7−Ｃ14アルキルフェニル；Ｃ6−Ｃ15ビシクロアルキル；Ｃ6−Ｃ15ビシクロアルケニル；Ｃ6−Ｃ16トリシクロアルキル；又はＣ1−Ｃ18アルキル（これは、ハロゲン、ＣＯＯＨ、ＣＯＯＲ11、Ｏ−ＣＯ−Ｒ12、ＣＯＮＨ2、ＣＯＮＨＲ13、ＣＯＮＲ13Ｒ14、ＣＮ、ＮＨ2、ＮＨＲ13、ＮＲ13Ｒ14、ＮＨＣＯＲ12、Ｃ6−Ｃ15ビシクロアルキル若しくはＣ6−Ｃ15ビシクロアルケニルで置換されている）；特に、Ｃ6−Ｃ12アルキルであり；
Ｒ11は、Ｃ1−Ｃ18アルキル；Ｃ5−Ｃ12シクロアルキル；Ｃ6−Ｃ14アリール；Ｃ2−Ｃ18アルケニル；Ｃ7−Ｃ14アルキルフェニル；Ｃ1−Ｃ18アルキル（これは、フェニル、フェノキシ、ナフチル、ナフチルオキシ、ＯＨ、ハロゲン、Ｃ1−Ｃ18アルコキシ、Ｃ5−Ｃ12シクロアルコキシ、Ｃ3−Ｃ18アルケニルオキシ、ＣＯＯＨ、ＣＯＯＲ11、Ｏ−ＣＯ−Ｒ12、ＣＯＮＨ2、ＣＯＮＨＲ13、ＣＯＮＲ13Ｒ14、ＣＮ、ＮＨ2、ＮＨＲ13、ＮＲ13Ｒ14、ＮＨＣＯＲ12、Ｃ6−Ｃ15ビシクロアルキル、Ｃ6−Ｃ15ビシクロアルコキシ、Ｃ6−Ｃ15ビシクロアルケニル、Ｃ6−Ｃ15ビシクロアルケニルオキシ、Ｃ6−Ｃ16ビシクロアルキル−アルコキシ、Ｃ6−Ｃ16ビシクロアルケニル−アルコキシ又はＣ6−Ｃ15トリシクロアルコキシにより置換されている）であるか、又はＣ1−Ｃ18アルキル（これは、それ自体、ハロゲン、ＯＨ、Ｃ1−Ｃ4アルキル、Ｃ1−Ｃ4アルコキシ、Ｃ1−Ｃ8アルキルアミノ、シクロヘキシルアミノ、Ｃ1−Ｃ8アルキルチオ若しくはシクロヘキシルチオにより置換されている、フェニル、フェニルオキシ、若しくはナフチルオキシで置換されている）であるか；あるいは
Ｒ11は、Ｃ5−Ｃ12シクロアルキル（これは、ＯＨ、Ｃ1−Ｃ4アルキル、Ｃ2−Ｃ6アルケニル又はＯ−ＣＯＲ12により置換されている）；又はＣＯＲ15；又はＳＯ2−Ｒ16；又は炭素−結合された、５〜７員複素環残基（これは、４〜１２個の炭素原子並びにＯ、Ｎ及びＳから選択される１〜３個の複素原子を含む）であるか；あるいは
Ｒ11は、Ｃ3−Ｃ50アルキル（これは、Ｏ、ＮＨ、ＮＲ13若しくはＳで中断されているか、かつ／又はＯＨ、フェノキシ、Ｃ3−Ｃ18アルケンオキシ、Ｃ7−Ｃ18アルキルフェノキシ、ＯＣＯＲ12、Ｏ−Ｐ（＝Ｏ）（ＯＲ12)2、Ｏ−Ｐ（＝Ｏ）（Ｒ12)2若しくはＯＳｉ（ＯＲ12)3で置換されている）であり；
Ｒ12は、Ｃ1−Ｃ18アルキル；Ｃ2−Ｃ18アルケニル；Ｃ5−Ｃ12シクロアルキル、Ｃ1−Ｃ4アルキルシクロヘキシル；Ｃ6−Ｃ14アリール；Ｃ7−Ｃ11フェニルアルキル；Ｃ7−Ｃ14アルキルフェニル；Ｃ6−Ｃ15ビシクロアルキル；Ｃ6−Ｃ15ビシクロアルケニル；又はＣ6−Ｃ15トリシクロアルキルであり；
Ｒ13及びＲ14は、互いに独立して、Ｃ1−Ｃ18アルキル；Ｃ2−Ｃ18アルケニル；Ｃ5−Ｃ12シクロアルキル；Ｃ1−Ｃ4アルキルシクロヘキシル；Ｃ6−Ｃ14アリール；Ｃ7−Ｃ11フェニルアルキル；Ｃ7−Ｃ14アルキルフェニル；又はＣ3−Ｃ30アルキル（これは、Ｏ、ＮＨ若しくはＮＲ13で中断されているか、かつ／又はＯＨで置換されている）であるか；又はＣ6−Ｃ15ビシクロアルキル；Ｃ6−Ｃ15ビシクロアルケニル；若しくはＣ6−Ｃ15トリシクロアルキルであり；
Ｒ15は、Ｃ1−Ｃ18アルキル；Ｃ2−Ｃ18アルケニル；Ｃ5−Ｃ12シクロアルキル；Ｃ6−Ｃ14アリール；Ｃ7−Ｃ11フェニルアルキル；又はＣ7−Ｃ14アルキルフェニルであり；
Ｒ16は、Ｃ1−Ｃ18アルキル；Ｃ2−Ｃ18アルケニル；Ｃ5−Ｃ12シクロアルキル；Ｃ6−Ｃ14アリール；Ｃ7−Ｃ11フェニルアルキル；又はＣ7−Ｃ14アルキルフェニルであり；
Ｒ17は、ＣＨ2−Ｏ−Ｒ15又はフルフリル若しくはテトラヒドロフルフリルであるか、又はＣ3−Ｃ30アルキル（これは、Ｏ、ＮＨ若しくはＮＲ13で中断されているか、かつ／又はＯＨで置換されている）であり；そして
Ｘ及びＹは、互いに独立して、Ｏ、ＮＨ、ＮＲ13又はＳである）で示される基である）で示される基である）で示される化合物であるが、但し
成分Ａが、式（XV）：
【化１０】
2000026435.tif 000007
（式中、
Ｘ1は、複素原子を有するか又は有しない炭化水素基であり、そして
Ｘ2及びＸ11は、互いに独立して、水素又は複素原子を有するか若しくは有しない炭化水素基である）で示される化合物を更に含む写真材料である組成物を除く、請求項２記載の組成物。
【請求項４】  成分Ａ）が、木材の、着色剤、含浸剤又は保護被覆物であり、そして成分Ｂ）が、式（Ｉ）
【化１１】
2000026435.tif 000008
（式中、
Ｚ、Ｚ′及びＺ″は、互いに独立して、式（II）：
【化１２】
2000026435.tif 000009
（式中、
Ｒ7は、式（III）、（IV）又は（Ｖ）：
【化１３】
2000026435.tif 000010
（式中、
ｎは、１又は２であり；
Ｒ4、Ｒ5及びＲ6は、互いに独立して、Ｃ1−Ｃ18アルキル；Ｃ5−Ｃ12シクロアルキル；Ｃ2−Ｃ18アルケニル；フェニル；Ｃ7−Ｃ11フェニルアルキル；Ｃ7−Ｃ11アルキルフェニル；Ｃ1−Ｃ18アルキル（これは、フェニル、ＯＨ、ハロゲン、Ｃ1−Ｃ18アルコキシ、Ｃ5−Ｃ12シクロアルコキシ、Ｃ3−Ｃ18アルケニルオキシ、ＣＯＯＨ、ＣＯＯＲ11、Ｏ−ＣＯ−Ｒ12、ＣＯＮＨ2、ＣＯＮＨＲ13、ＣＯＮＲ13Ｒ14、ＣＮ、ＮＨ2、ＮＨＲ13、ＮＲ13Ｒ14、ＮＨＣＯＲ12、Ｃ6−Ｃ15ビシクロアルキル、Ｃ6−Ｃ16ビシクロアルキル−アルコキシ、Ｃ6−Ｃ16ビシクロアルケニル−アルコキシ又はＣ6−Ｃ15トリシクロアルコキシにより置換されている）；Ｃ5−Ｃ12シクロアルキル（これは、ＯＨ、Ｃ1−Ｃ4アルキル、Ｃ2−Ｃ6アルケニル又はＯ−ＣＯＲ12により置換されている）；又はＣＯＲ15；ＣＯ−Ｘ−Ｒ11；又はＳＯ2−Ｒ16；又はＣ3−Ｃ50アルキル（これは、Ｏで中断されているか、かつ／又はＯＨ、フェノキシ、又はＣ7−Ｃ18アルキルフェノキシで置換されている）であるか；あるいは
Ｒ5とＲ6は、それらが結合する炭素原子と一緒になって、Ｃ4−Ｃ8シクロアルキル環（これは、中断されていないか、若しくはＯ、ＮＨ、ＮＲ13若しくはＳで中断されているか、かつ／又は置換されていないか、若しくはＣ1−Ｃ6アルキル、ＯＨ、フェノキシ若しくはＣ7−Ｃ18アルキルフェノキシで置換されている）であり；
Ｒ8及びＲ9は、独立してＨ又はＲ11と同義であり；
Ｒ11は、Ｃ1−Ｃ18アルキル；Ｃ5−Ｃ12シクロアルキル；Ｃ6−Ｃ14アリール；Ｃ2−Ｃ18アルケニル；Ｃ7−Ｃ14アルキルフェニル；Ｃ1−Ｃ18アルキル（これは、フェニル、フェノキシ、ナフチル、ナフチルオキシ、ＯＨ、ハロゲン、Ｃ1−Ｃ18アルコキシ、Ｃ5−Ｃ12シクロアルコキシ、Ｃ3−Ｃ18アルケニルオキシ、ＣＯＯＨ、ＣＯＯＲ11、Ｏ−ＣＯ−Ｒ12、ＣＯＮＨ2、ＣＯＮＨＲ13、ＣＯＮＲ13Ｒ14、ＣＮ、ＮＨ2、ＮＨＲ13、ＮＲ13Ｒ14、ＮＨＣＯＲ12、Ｃ6−Ｃ15ビシクロアルキル、Ｃ6−Ｃ15ビシクロアルコキシ、Ｃ6−Ｃ15ビシクロアルケニル、Ｃ6−Ｃ15ビシクロアルケニルオキシ、Ｃ6−Ｃ16ビシクロアルキル−アルコキシ、Ｃ6−Ｃ16ビシクロアルケニル−アルコキシ又はＣ6−Ｃ15トリシクロアルコキシにより置換されている）であるか、又はＣ1−Ｃ18アルキル（これは、それ自体、ハロゲン、ＯＨ、Ｃ1−Ｃ4アルキル、Ｃ1−Ｃ4アルコキシ、Ｃ1−Ｃ8アルキルアミノ、シクロヘキシルアミノ、Ｃ1−Ｃ8アルキルチオ若しくはシクロヘキシルチオにより置換されている、フェニル、フェニルオキシ、若しくはナフチルオキシで置換されている）であるか；あるいは
Ｒ11は、Ｃ5−Ｃ12シクロアルキル（これは、ＯＨ、Ｃ1−Ｃ4アルキル、Ｃ2−Ｃ6アルケニル又はＯ−ＣＯＲ12により置換されている）；又はＣＯＲ15；又はＳＯ2−Ｒ16；又は炭素−結合された、５〜７員複素環残基（これは、４〜１２個の炭素原子並びにＯ、Ｎ及びＳから選択される１〜３個の複素原子を含む）であるか；あるいは
Ｒ11は、Ｃ3−Ｃ50アルキル（これは、Ｏ、ＮＨ、ＮＲ13若しくはＳで中断されているか、かつ／又はＯＨ、フェノキシ、Ｃ3−Ｃ18アルケンオキシ、Ｃ7−Ｃ18アルキルフェノキシ、ＯＣＯＲ12、Ｏ−Ｐ（＝Ｏ）（ＯＲ12)2、Ｏ−Ｐ（＝Ｏ）（Ｒ12)2若しくはＯＳｉ（ＯＲ12)3で置換されている）であり；
Ｒ12は、Ｃ1−Ｃ18アルキル；Ｃ2−Ｃ18アルケニル；Ｃ5−Ｃ12シクロアルキル、Ｃ1−Ｃ4アルキルシクロヘキシル；Ｃ6−Ｃ14アリール；Ｃ7−Ｃ11フェニルアルキル；Ｃ7−Ｃ14アルキルフェニル；Ｃ6−Ｃ15ビシクロアルキル；Ｃ6−Ｃ15ビシクロアルケニル；又はＣ6−Ｃ15トリシクロアルキルであり；
Ｒ13及びＲ14は、互いに独立して、Ｃ1−Ｃ18アルキル；Ｃ2−Ｃ18アルケニル；Ｃ5−Ｃ12シクロアルキル；Ｃ1−Ｃ4アルキルシクロヘキシル；Ｃ6−Ｃ14アリール；Ｃ7−Ｃ11フェニルアルキル；Ｃ7−Ｃ14アルキルフェニル；又はＣ3−Ｃ30アルキル（これは、Ｏ、ＮＨ若しくはＮＲ13で中断されているか、かつ／又はＯＨで置換されている）であるか；又はＣ6−Ｃ15ビシクロアルキル；Ｃ6−Ｃ15ビシクロアルケニル；若しくはＣ6−Ｃ15トリシクロアルキルであり；
Ｒ15は、Ｃ1−Ｃ18アルキル；Ｃ2−Ｃ18アルケニル；Ｃ5−Ｃ12シクロアルキル；Ｃ6−Ｃ14アリール；Ｃ7−Ｃ11フェニルアルキル；又はＣ7−Ｃ14アルキルフェニルであり；
Ｒ16は、Ｃ1−Ｃ18アルキル；Ｃ2−Ｃ18アルケニル；Ｃ5−Ｃ12シクロアルキル；Ｃ6−Ｃ14アリール；Ｃ7−Ｃ11フェニルアルキル；又はＣ7−Ｃ14アルキルフェニルであり；
Ｒ17は、ＣＨ2−Ｏ−Ｒ15又はフルフリル若しくはテトラヒドロフルフリルであるか、又はＣ3−Ｃ30アルキル（これは、Ｏ、ＮＨ若しくはＮＲ13で中断されているか、かつ／又はＯＨで置換されている）であり；そして
Ｘ及びＹは、互いに独立して、Ｏ、ＮＨ、ＮＲ13又はＳである）で示される基である）で示される基である）で示される化合物である、請求項２記載の組成物。
【請求項５】  更なる成分として、抗酸化剤類、ホスファイト類、ホスホナイト類、ベンゾフラノン類、インドリノン類並びに立体障害アミンタイプ、２−（２−ヒドロキシフェニル）−１，３，５−トリアジン類、２−ヒドロキシフェニル−２Ｈ−ベンゾトリアゾール類、２−ヒドロキシベンゾフェノン類及び／又はオギザラニリド類の光安定剤よりなる群から選択される化合物の１種以上を含む、請求項２〜４のいずれか１項記載の組成物。
【請求項６】  光、酸素及び／又は熱の有害な影響に対して有機材料を安定化するための方法であって、該材料に安定剤として請求項１記載の式（Ｉ）の化合物を、混合及び／又は塗布することを特徴とする方法。